(57)【要約】【課題】事後的に簡単に取り付けることができるとともに、掘削効率を良くできるようにしたバケットカバーを提供する。【解決手段】油圧ショベルのアーム先端に取り付けられるスケルトンバケット４ａやドライブミキシング４ｂ、ミキシングフォーク４ｃなど有孔バケット４の孔を塞ぐバケットカバー１において、有孔バケット４の外側面に沿って前記孔を塞ぐ板状体２と、当該板状体２を前記有孔バケット４の外側面に沿って先端側を固定する第一の固定部３１と、当該第一の固定部３１から離れた位置で板状体２を固定する第二の固定部３２を設けるようにする。そして、使用の際には、第一の固定部３１でフォーク４１側を固定して左右方向のズレを防止し、第二の固定部３２で有孔バケット４の外側面に密着するように板状体２を固定する。【選択図】図４
2015010439.tif 000002
【特許請求の範囲】
【請求項１】
油圧ショベルのアーム先端に取り付けられる有孔バケットの孔を塞ぐバケットカバーにおいて、
有孔バケットの外側面に沿って前記孔を塞ぐ板状体と、
当該板状体を前記有効バケットの外側面に固定する固定部と、
を備えたことを特徴とするバケットカバー。
【請求項２】
前記固定部が、有孔バケットのフォークに挿通可能な挿通部で構成されるものである請求項１に記載のバケットカバー。
【請求項３】
前記固定部が、有孔バケットの掘削辺側に係止可能に取り付けられるフック部で構成されるものである請求項１に記載のバケットカバー。
【発明の詳細な説明】
【技術分野】
【０００１】
本発明は、油圧ショベルのアームの先端に取り付けられるバケットに関するものであり、より詳しくは、スケルトンバケットなどのような有孔バケットを無孔バケットとして使用できるようにしたバケットカバーに関するものである。
【背景技術】
【０００２】
一般に、油圧ショベルのアームの先端には、土砂の掘削や攪拌、ふるい作業などを行うためのバケットが取り付けられる。ところで、このようなバケットは、掘削される場所や用途に応じてアタッチメントで付け替えられるようになっており、例えば、土砂を掘削してトラックの荷台などに積み込む際には、無孔バケットを使用し、一方、水路の開削や水を含む土砂の攪拌などを行う際には、スケルトンバケットなどのような有孔バケットを使用できるようにしている。
【０００３】
しかしながら、このように種類や用途に応じてバケットを付け替える際には、そのアタッチメントを付け替える必要があるばかりでなく、大型の有孔バケットと無孔バケットの両方を保管しなければならない。そのため、従来では、有孔バケットと無孔バケットとを兼用できるようにしたバケットが提案されている（特許文献１〜特許文献３など参照）。このバケットは、無孔バケットの内側に板状体を取り付けて格子状の孔を全面的に閉塞し、無孔バケットとして使用できるようにしたものであって、ふるい作業や攪拌などを行う際には有孔バケットとして使用し、また、地面を掘削する際には、板状体を取り付けて孔を閉塞して使用できるようにしたものである。
【先行技術文献】
【特許文献】
【０００４】
【特許文献１】実開平５−６７６５４号公報
【特許文献２】実開平６−５６１５９号公報
【特許文献３】実開平７−１７８４９号公報
【発明の概要】
【発明が解決しようとする課題】
【０００５】
しかしながら、このように有孔バケットと無孔バケットとを兼用させるような従来構造では、次のような問題を生じる。
【０００６】
すなわち、従来の兼用型バケットでは、バケットの内側に板状体を取り付けるようにしているが、このようなバケットの内側に図２に示すようなミキシング機構４６を設けている場合は、板状体を内側に取り付けることが難しい。また、図３に示すように、側面のない格子状のミキシングフォークに板状体を取り付けると、左右両側面が存在しないため、掘削した土砂をホールドすることができなくなってしまう。さらには、側面を有するバケットであったとしても、そのバケットの内側に板状体を取り付けると、掘削した土砂をホールドできる容積が小さくなってしまい、掘削効率が悪くなってしまう。
【０００７】
そこで、本発明は、事後的に簡単に取り付けることができるとともに、掘削効率を良くできるようにしたバケットカバーを提供することを目的とする。
【課題を解決するための手段】
【０００８】
すなわち、本発明は上記課題を解決するために、油圧ショベルのアーム先端に取り付けられる有孔バケットの孔を塞ぐバケットカバーにおいて、有孔バケットの外側面に沿って前記孔を塞ぐ板状体と、当該板状体を前記有効バケットの外側面に固定する固定部とを備えるようにしたものである。
【０００９】
このように構成すれば、有孔バケットの外側に沿って板状体を取り付けるようにするため、内側にミキシングフォークや凹凸などを有している場合であっても、簡単に後付でバケットカバーを取り付けることができるようになる。しかも、外側面にバケットカバーを取り付けるため、有孔バケットのホールド容積を大きく確保することができ、掘削効率を良くすることができる。
【００１０】
また、このような発明において、前記固定部を、有孔バケットのフォークに挿通可能な挿通部で構成する。
【００１１】
このようにすれば、フォークに挿通部を通すことによって左右方向の位置ズレを防止することができ、確実にバケットカバーを固定することができるようになる。
【００１２】
また、別の態様では、前記固定部を、有孔バケットの先端側の掘削辺に係止可能に取り付けられるフック部で構成することもできる。
【００１３】
このようにした場合は、フォークとフォークとの間の掘削辺にフック部を係止させることができるため、左右方向の位置ズレを防止することができるとともに、フォークを有さない場合であっても、先端側でバケットカバーを係止させることができる。
【発明の効果】
【００１４】
本発明によれば、油圧ショベルのアーム先端に取り付けられる有孔バケットの孔を塞ぐバケットカバーにおいて、有孔バケットの外側面に沿って前記孔を塞ぐ板状体と、当該板状体を前記有孔バケットの外側面に固定する固定部とを備えるようにしたので、内側にミキシングフォークや凹凸などを有している場合であっても、簡単に後付でバケットカバーを取り付けることができるようになる。しかも、外側にバケットカバーを取り付けるため、有孔バケットのホールド容積を大きく確保することができ、掘削効率を良くすることができる。
【図面の簡単な説明】
【００１５】
【図１】本発明の一実施の形態におけるバケットカバーが取り付けられる有孔バケットを示す外観斜視図
【図２】同形態におけるバケットカバーが取り付けられる有孔バケットを示す外観斜視図
【図３】同形態におけるバケットカバーが取り付けられる有孔バケットを示す外観斜視図
【図４】同形態における有孔バケットにバケットカバーを取り付けた状態を示す外観斜視図
【図５】同形態における有孔バケットにバケットカバーを取り付けた状態を示す側面図
【図６】他の実施形態における有孔バケットに取り付けられるバケットカバーを示す外観斜視図
【発明を実施するための形態】
【００１６】
以下、本発明の実施の形態について図面を参照しながら説明する。
【００１７】
この実施の形態におけるバケットカバー１は、油圧ショベルのアーム先端側に取り付けられる有孔バケット４の外側に着脱可能に取り付けられるものであって、図４に示すように、その有孔バケット４の外側を覆う板状体２と、その板状体２を有孔バケット４に固定するための固定部３とを備えて構成される。そして、このように有孔バケット４の外側面覆って隙間や孔（以下、「孔」と称する）を全面的に塞ぐことで、有孔バケット４を無孔バケットとして使用できるようにしたものである。なお、本実施の形態において、有孔バケット４で土砂をホールドする側を内面側とし、その背面側を外面側とするとともに、フォーク４１などを有する側を先端側、アタッチメントが取り付けられる側を上端側として説明する。以下、本実施の形態で使用されるバケットや、そのバケットに取り付けられるバケットカバー１について説明する。
【００１８】
まず、この実施の形態で使用される有孔バケット４について各種説明する。
【００１９】
図１は、一般的なスケルトンバケット４ａであって、土砂のふるい落とし作業や、川底の採石作業、コンクリートの攪拌作業などに使用され、先端側に間欠的に突出するように設けられたフォーク４１と、左右両側面４３との間で格子状に設けられた縦フレーム４４と横フレーム４５を備えて構成されている。このうち、縦フレーム４４は、板状のフレームを側面４３と平行になるように設けられており、一方、横フレーム４５は、断面円形状をなす棒状のフレームで構成されている。そして、これらの縦フレーム４４と横フレーム４５を格子状に組み込むことで、土砂や水などを格子状の隙間（以下、「孔」と称する）から落としたり、攪拌させたりするようになっている。一方、上端側には、アタッチメントを取り付けるための保持部４７が設けられており、この保持部４７にアタッチメントを介してアームに固定できるようになっている。そして、このようなスケルトンバケットを使用する際には、先端側で土砂をすくい取るとともに、左右両側の側面４３で土砂などをホールドし、小さな土砂や水などを孔から落として大きな土砂のみをホールドできるようにしている。なお、ここでは、縦フレーム４４や横フレーム４５によって格子状の孔を形成するようにしたものを説明したが、これ以外に、厚板をハニカム状に刳り貫いて孔を形成してもよい。
【００２０】
また、図２は、ドライブミキシング４ｂであって、図１に示すスケルトンバケット４ａの内側にミキシング機構４６を設けるようにしたものである。このミキシング機構４６は、内側に設けられたローターの回転によって掘削作業を行うと同時に攪拌作業を行えるようにしたものであって、固化剤をはじめとした各種土壌改良剤を均等かつ高速に混合させるようにしたものである。
【００２１】
また、図３は、ミキシングフォーク４ｃであって、土質改良やセメントなどの各種攪拌作業を行えるようにしたものである。このミキシングフォーク４ｃの先端側には、同様に複数のフォーク４１が設けられており、縦フレーム４４と横フレーム４５を格子状に組むことによって攪拌を行えるようにしている。ここでは、板状の縦フレーム４４を平行に配列させて構成しており、一方、横フレーム４５についても、水平な板状のフレームを設けて構成している。なお、このミキシングフォーク４ｃは、左右両側面４３が存在しないようになっており、単に、格子状の縦フレーム４４と横フレーム４５によってミキシングを行えるようにしている。
【００２２】
このような有孔バケット４で使用されるバケットカバー１について、図４を用いて説明する。なお、このバケットカバー１が使用される有孔バケット４としては、図３に示すミキシングフォーク４ｃを例に挙げて説明する。
【００２３】
図４に示すバケットカバー１は、有孔バケット４の外面側を覆う板状体２と、その板状体２を固定する固定部３（３１、３２）とによって構成される。
【００２４】
この板状体２は、図４に示すように、格子状に組まれたフレームの孔を全面的に覆うように先端側から上端側まで屈曲させるようにしたもので、一枚の金属板によって構成されている。なお、ここでは、一枚の金属板で板状体２を構成しているが、複数枚の金属板で構成してもよい。また、この有孔バケット４の左右両端には、バケットの側面４３に沿うように起立した起立部２１が設けられており、この起立部２１をバケットの側面４３の内側に当接させて左右方向のズレを防止している。なお、ここでは、起立部２１を部分的に設けるようにしているが、この起立部２１が設けられている部分以外からはバケットとの隙間から土砂がこぼれてしまう可能性がある。そこで、このような土砂のこぼれを防止する必要がある場合は、図６に示すように、側面４３との隙間を全面的に覆うような起立部２１を設けるようにするとよい。
【００２５】
固定部３は、この板状体２を有孔バケット４の外側に固定させるためのものであって、第一の固定部３１と第二の固定部３２によって構成される。
【００２６】
このうち、第一の固定部３１は、有孔バケット４の先端側に設けられる。この第一の固定部３１の一例としては、フォーク４１を挿通させることができるようなリング状の挿通部３１ａを設け、その挿通部３１ａにフォーク４１を挿通させて固定する。このように挿通部３１ａにフォーク４１を挿通させて固定すると、板状体２の左右のズレを防止することができるとともに、掘削時にかかる荷重を強いフォーク４１で支えることができるようになる。
【００２７】
また、第二の例としては、第一の固定部３１を、有孔バケット４の先端側のフォーク４１とフォーク４１の間に設けるようにすることもできる。このようにフォーク４１とフォーク４１の間に設ける場合は、図６に示すように、有孔バケット４の先端側を係止させるような折り返し状のフック部３１ｂを設け、そのフック部３１ｂによって先端側を係止させる。このようにすれば、フォーク４１とフォーク４１によって板状体２の横方向のずれを防止することができるようになるとともに、その折り返したフック部３１ｂによって、有孔バケット４と板状体２との間に土砂などが挟まり込むようなことがなくなるというメリットがある。
【００２８】
次に、第二の固定部３２は、この第一の固定部３１と離れた位置に設けられる。この第二の固定部３２の一例としては、有孔バケット４の側面４３に設ける。このように側面４３に第二の固定部３２を設ける場合、有孔バケット４の側面４３と、板状体２の左右に起立した起立部２１に貫通した孔２２を設け、ここにボルトとナットによって固定するようにする。このように側面４３側をボルトとナットで固定すれば、土砂をホールドした際に最も負荷のかかる位置の近傍で固定することができるため、板状体２の撓みなどを防止することができるというメリットがある。
【００２９】
また、第二の固定部３２における他の例としては、有孔バケット４の上端側に設けることもできる。このように上端側に設ける場合、同様に、板状体２と有孔バケット４の金属板との間に貫通する孔を設け、そこにボルトを挿入させてナットで固定する。このように、上端側の面に第二の固定部３２を設ければ、掘削時にボルトとナットに岩などが当接することがなくなり、ボルトの破損などを防止することができるというメリットがある。
【００３０】
次に、このように構成されたバケットカバー１を取り付けて無孔バケットとして使用する場合の使用例について説明する。
【００３１】
まず、有孔バケット４にバケットカバー１を取り付ける場合、油圧ショベルに有孔バケット４を取り付けた状態でフォーク４１を地面近傍に位置させ、その状態でフォーク４１をバケットカバー１の挿通部３１ａに挿通させる。もしくは、有孔バケット４の先端の掘削辺４２側にフック部３１ｂを係止させて先端側を固定する。そして、このようにして先端側を固定した状態で、有孔バケット４を地面に下ろしてバケットカバー１の外側面に全体的に密着させ、側面４３の孔とバケットカバー１の起立部２１に設けられた孔２２とを位置合わせしてボルトを挿入する。そして、内側からナットで固定してバケットカバー１を固定する。もしくは、有孔バケット４の上端側に第二の固定部３２が設けられている場合は、同様に、バケットカバー１の孔と有孔バケット４の孔を位置合わせし、ボルトとナットで固定する。これにより、有孔バケット４の格子状の孔がバケットカバー１によって全体的に覆われ、有孔バケット４を無孔バケットとして使用することができる。
【００３２】
このようにバケットカバー１を取り付けた無孔バケットを使用する場合、地面を掘削することによって、左右の側面４３とバケットカバー１で土砂をホールドすることができ、しかも、掘削容積を大きくした状態で掘削することができるようになる。
【００３３】
また、図４に示すような、側面４３を有さないミキシングフォーク４ｃにバケットカバー１を取り付けた場合であっても、板状の縦フレーム４４とバケットカバー１との間で土砂をホールドすることができ、無孔バケットとしても使用することができる。
【００３４】
このように上記実施の形態によれば、油圧ショベルのアーム先端に取り付けられる有孔バケット４の孔を塞ぐバケットカバー１において、有孔バケット４の外側面に沿って前記孔を塞ぐ板状体２と、当該板状体２を前記有孔バケット４の外側面に固定する固定部３（３１、３２）とを備えるようにしたので、内側にミキシング機構４６や凹凸などを有している場合であっても、簡単に後付でバケットカバー１を取り付けることができるようになる。しかも、外側面にバケットカバー１を取り付けるようにしているため、有孔バケット４の掘削容積を大きく確保することができ、掘削効率を良くすることができる。
【００３５】
また、このような固定部３のうち、第一の固定部３１として、有孔バケット４のフォーク４１に挿通可能な挿通部３１ａで構成するようにしたので、左右方向の位置ズレを防止することができ、確実にバケットカバー１を固定することができるようになる。
【００３６】
また、このような固定部３を、有孔バケット４の先端側の掘削辺４２に係止可能に取り付けられるフック部３１ｂで構成した場合も、先端側でバケットカバー１を係止させることができるため、掘削時にバケットカバー１とバケットとの間に土砂が挟まり込んでしまうことを防止することができる。
【００３７】
なお、本発明は上記実施の形態に限定されることなく、種々の態様で実施することができる。
【００３８】
例えば、上記実施の形態では、バケットカバー１を無孔の板状体２で構成したが、雨水などが溜まってしまうことを防止するために小さな孔などを設けるようにしてもよい。
【００３９】
また、上記実施の形態では、第二の固定部３２をボルトとナットで構成するようにしたが、第二の固定部３２についても、フック状の部材を用いて係止させて固定するようにしてもよい。
【００４０】
さらに、上記実施の形態では、フォーク４１を有する有孔バケット４に取り付ける場合について説明したが、フォーク４１を有さないバケットに同様のバケットカバー１を取り付けるようにしてもよい。
【符号の説明】
【００４１】
１・・・バケットカバー
２・・・板状体
２１・・・起立部
２２・・・孔
３・・・固定部
３１（３１ａ、３１ｂ）・・・第一の固定部
３２・・・第二の固定部
４・・・有孔バケット
４１・・・フォーク
４２・・・掘削辺
４３・・・側面
４４・・・縦フレーム
４５・・・横フレーム
４６・・・ミキシング機構
４７・・・保持部
【図１】
2015010439.tif 000003
【図２】
2015010439.tif 000004
【図３】
2015010439.tif 000005
【図４】
2015010439.tif 000006
【図５】
2015010439.tif 000007
【図６】
2015010439.tif 000008